(57)【要約】【課題】発光ユニットと、追加機能ユニットとが、それぞれ適切なタイミングで交換される照明用灯具を提供する。【解決手段】照明用灯具は、輸送機の天井に設けられた照明ホルダーの第１接続部と第２接続部との間の領域に配置され、照明ホルダーの本体部の長手方向に延び、前記第１接続部に対して一端が着脱可能に取り付けられ、第１接続部から電力を受け取ることで光を発することが可能な発光ユニットと、発光ユニットの他端と第２接続部との間に配置されて発光ユニットに対して着脱可能に取り付けられ、発光ユニットによる発光とは異なる追加的な機能を発揮させる追加機能ユニットとを備える。【選択図】図１
2020155213.tif 000002
【特許請求の範囲】
【請求項１】
一方向に延びた本体部と、前記本体部の長手方向の両側部で室内側に向かって突出した第１接続部及び第２接続部とを有し、輸送機の天井に設けられた照明ホルダーの、前記第１接続部と第２接続部との間の領域に配置され、周囲を照らす照明用灯具であって、
前記照明ホルダーの前記本体部の長手方向に延び、前記第１接続部に対して一端が着脱可能に取り付けられ、前記第１接続部から電力を受け取ることで光を発することが可能な発光ユニットと、
前記発光ユニットの他端と前記第２接続部との間に配置されて前記発光ユニットに対して着脱可能に取り付けられ、前記発光ユニットによる発光とは異なる機能を有する追加機能ユニットとを備える、照明用灯具。
【請求項２】
前記発光ユニットは、内部に、前記第１接続部を通して供給された電力の一部を前記発光ユニットで使用可能な電力に変換することが可能な第１電力変換回路を備える、請求項１に記載の照明用灯具。
【請求項３】
前記発光ユニットは、内部に、前記第１接続部を通して供給された電力の一部を前記追加機能ユニットで使用可能な電力に変換することが可能な第２電力変換回路を備える、請求項１または２に記載の照明用灯具。
【請求項４】
前記追加機能ユニットは、前記本体部に固定されるケーシングを有する、請求項１に記載の照明用灯具。
【請求項５】
前記ケーシングは、内部に前記追加機能ユニットの機能部を収納した状態で施錠される施錠部を有する、請求項４に記載の照明用灯具。
【請求項６】
前記ケーシングは、前記本体部に固定されると共に、前記第２接続部に接続される、請求項４または５に記載の照明用灯具。
【請求項７】
前記ケーシングは、前記発光ユニットの前記他端に接続される第３接続部を有する、請求項４から６のいずれか１項に記載の照明用灯具。
【請求項８】
一方向に延びた本体部を有し、輸送機の天井に設けられた照明ホルダーの、前記一方向に関し、一端部に配置された第１接続部と前記照明ホルダーの他端部との間の領域に配置され、周囲を照らす照明用灯具であって、
前記照明ホルダーの前記本体部の長手方向に延び、前記第１接続部から電力を受け取ることで光を発することが可能な発光ユニットと、
前記発光ユニットによる発光とは異なる機能を有し、前記本体部に着脱可能に支持された、前記発光ユニットを支持する追加機能ユニットと、を備え、
前記発光ユニットは、一端が前記第１接続部に対して着脱可能に取り付けられ、他端が前記追加機能ユニットに対して着脱可能に取り付けられる、照明用灯具。
【請求項９】
前記追加機能ユニットは、前記本体部に固定されるケーシングを有し、
前記ケーシングは、前記発光ユニットの前記他端に接続される第３接続部を有し、
前記発光ユニットは、前記他端が前記第３接続部に対して着脱可能に取り付けられる、請求項８に記載の照明用灯具。
【発明の詳細な説明】
【技術分野】
【０００１】
本発明は、輸送機で用いられる照明用灯具に関する。
【背景技術】
【０００２】
従来、輸送機において、客室内部を照らすのに直管形の発光ユニットを用いた照明用灯具が用いられている。また同時に、設置スペースに制限がある輸送機においては、照明用灯具に発光ユニットによる発光とは別の機能を備えることで、省スペース化を図っている。
【０００３】
特許文献１には、直管形のＬＥＤを用いた照明用灯具において、センサー、カメラ等の機能部品が設けられたものが開示されている。
【先行技術文献】
【特許文献】
【０００４】
【特許文献１】特開２０１７−１０７２５号公報
【発明の概要】
【発明が解決しようとする課題】
【０００５】
特許文献１に開示された照明用灯具では、発光ユニットと、発光とは別の機能を備えた追加機能ユニットとが一体で構成されているため、いずれかの交換のタイミングになると、発光ユニットと追加機能ユニットとの両方が同時に交換されることになる。通常、発光ユニットと追加機能ユニットとの間では、求められる交換の頻度が異なるため、他方については交換しなくてもよいタイミングで交換することになる。従って、照明用灯具のメンテナンスに必要とされるコストが増加する可能性がある。
【０００６】
そこで、本発明は上記の事情に鑑み、輸送機などの設置スペースが限られた空間において、既存の照明用灯具から置き換えが容易かつ、発光ユニットと、追加機能ユニットとが、それぞれ適切なタイミングで交換可能な照明用灯具を提供することを目的としている。
【課題を解決するための手段】
【０００７】
本発明の照明用灯具は、一方向に延びた本体部と、前記本体部の長手方向の両側部で室内側に向かって突出した第１接続部及び第２接続部とを有し、輸送機の天井に設けられた照明ホルダーの、前記第１接続部と第２接続部との間の領域に配置され、周囲を照らす照明用灯具であって、前記照明ホルダーの前記本体部の長手方向に延び、前記第１接続部に対して一端が着脱可能に取り付けられ、前記第１接続部から電力を受け取ることで光を発することが可能な発光ユニットと、前記発光ユニットの他端と前記第２接続部との間に配置されて前記発光ユニットに対して着脱可能に取り付けられ、前記発光ユニットによる発光とは異なる機能を有する追加機能ユニットとを備える。
【０００８】
また、本発明の照明用灯具は、一方向に延びた本体部を有し、輸送機の天井に設けられた照明ホルダーの、前記一方向に関し、一端部に配置された第１接続部と前記照明ホルダーの他端部との間の領域に配置され、周囲を照らす照明用灯具であって、前記照明ホルダーの前記本体部の長手方向に延び、前記第１接続部から電力を受け取ることで光を発することが可能な発光ユニットと、前記発光ユニットによる発光とは異なる機能を有し、前記本体部に着脱可能に支持された、前記発光ユニットを支持する追加機能ユニットと、を備え、前記発光ユニットは、一端が前記第１接続部に対して着脱可能に取り付けられ、他端が前記追加機能ユニットに対して着脱可能に取り付けられる。
【０００９】
上記構成の照明用灯具では、発光ユニットが第１接続部に着脱可能に取り付けられると共に、追加機能ユニットが発光ユニットに対し着脱可能に取り付けられているので、既存の照明用灯具設備を用いて、発光ユニットと追加機能ユニットとを別々に取り外すことができる。従って、既存の照明用灯具から容易に置き換え可能であることと、発光ユニットと追加機能ユニットとをそれぞれ適切なタイミングで交換することを同時に達成できる。
【発明の効果】
【００１０】
本発明によれば、輸送機などの設置スペースが限られた空間において、既存の照明用灯具から置き換えが容易かつ、発光ユニットと、追加機能ユニットとが、それぞれ適切なタイミングで交換可能な照明用灯具を提供することができる。
【図面の簡単な説明】
【００１１】
【図１】実施形態に係る照明用灯具の側面図である。
【図２】図１の照明用灯具の分解斜視図である。
【図３】（ａ）は、図１の照明用灯具における扉部が開けられた状態の追加機能ユニットについての斜視図であり、（ｂ）は扉部が閉じられた状態の追加機能ユニットの側面図である。
【図４】図１の照明用灯具における追加機能ユニットのケーシングが照明ホルダーの本体部に取り付けられた部分について一部を破断して示した断面斜視図である。
【図５】（ａ）は、図１の照明用灯具の変形例における追加機能ユニットのケーシングが照明ホルダーの本体部に取り付けられた部分について一部を破断して示した断面斜視図であり、（ｂ）は別の変形例について追加機能ユニットのケーシングが照明ホルダーの本体部に取り付けられた部分について一部を破断して示した断面斜視図である。
【図６】図１の照明用灯具における電力供給の流れについて説明するためのブロック図である。
【図７】（ａ）は、図１の照明用灯具における発光ユニットと追加機能ユニットとの接続が行われている部分について示した斜視図であり、（ｂ）〜（ｄ）は、変形例における発光ユニットと追加機能ユニットとの接続が行われている部分について示した斜視図である。
【図８】記録媒体の配置された位置についての変形例について示した照明用灯具の分解斜視図である。
【図９】（ａ）は、追加機能ユニットの変形例について示した照明用灯具の側面図であり、（ｂ）は、追加機能ユニット及び照明ホルダーの変形例について示した照明用灯具の側面図である。
【発明を実施するための形態】
【００１２】
以下、実施形態について、各図を参照して説明する。
【００１３】
図１は、実施形態に係る照明用灯具１の側面図であり、図２は、実施形態に係る照明用灯具１について分解して示した分解斜視図である。図１及び２に示されるように、照明用灯具１は、照明ホルダー２に取り付けられるように構成されている。照明用灯具１は、光を発することが可能な発光ユニット３と、発光ユニット３による発光とは異なる追加的な機能を発揮させる追加機能ユニット４とを備えている。
【００１４】
照明ホルダー２は、輸送機（例えば、鉄道車両）の天井５に設けられ、一方向に延びた本体部６と、本体部６の長手方向両側部で下方に向かって突出した第１接続部７及び第２接続部８とを有している。
【００１５】
本体部６の長手方向をＤ１方向として図２に示す。第１接続部７及び第２接続部８は、本体部６から下方に突出して設けられており、それぞれがソケット（コンセント）として構成されている。
【００１６】
第１接続部７には、プラグを挿入可能な穴部９が形成され、第２接続部８には、プラグを挿入可能な穴部１０が形成されている。穴部９、１０は、第１接続部７及び第２接続部８において互いに向かい合う面にそれぞれ形成されている。
【００１７】
第１接続部７と第２接続部８との間の長さが、従来の蛍光灯タイプの照明がちょうど入るような長さとなるように、照明ホルダー２が構成されている。従って、第１接続部７及び第２接続部８は、従来の蛍光灯タイプの照明に設けられたプラグが穴部９、１０に挿入されることにより、従来の蛍光灯タイプの照明を支持することができる。つまり、照明ホルダー２は、従来の蛍光灯タイプの照明に対応し、照明ホルダー２に従来の蛍光灯タイプの照明を取り付けることにより、蛍光灯タイプの照明によって周囲を照らすことができる。
【００１８】
本実施形態では、第１接続部７と第２接続部８との間の空間に、発光ユニット３と、追加機能ユニット４とが取り付けられる。発光ユニット３は、照明ホルダー２における本体部６の下方の位置の、第１接続部７と、追加機能ユニット４との間の位置に取り付けられる。
【００１９】
照明用灯具１が照明ホルダー２に取り付けられた状態では、第１接続部７側に発光ユニット３が取り付けられ、第２接続部８側に追加機能ユニット４が取り付けられている。発光ユニット３は、Ｄ１方向に延びている。発光ユニット３は、Ｄ１方向の両端部に第１プラグ１１及び第２プラグ１２を有している。本実施形態では、発光ユニット３の、Ｄ１方向の一端に第１プラグ１１が設けられ、Ｄ１方向の他端に第２プラグ１２が設けられている。
【００２０】
発光ユニット３は、内部にＬＥＤ（ｌｉｇｈｔ  ｅｍｉｔｔｉｎｇ  ｄｉｏｄｅ）を用いた発光体１３を備えている。発光体１３に電力が供給されることにより、発光体１３が光を発し、発光ユニット３が照明として機能する。
【００２１】
第１接続部７は、輸送機からの電力を、発光ユニット３に向けて供給することができる。また、発光ユニット３は、第１プラグ１１を通じて、外部から電力を取り入れることができる。そのため、輸送機からの電力は、第１接続部７及び第１プラグ１１を介して、発光ユニット３内の発光体１３に供給される。
【００２２】
第１プラグ１１が穴部９の内部に挿入され、発光ユニット３が輸送機に設けられた照明ホルダー２の第１接続部７に接続されることにより、発光ユニット３が輸送機からの電力を受け取ることができる。発光ユニット３の内部には、輸送機から受け取った電力を、発光体１３で使用できる形式の電力に変換する第１電力変換回路２３（図６）が設けられている。また、発光ユニット３の内部には、受け取った電力を追加機能ユニット４で使用可能な形式の電力に変換する第２電力変換回路２４（図６）が設けられている。また、発光ユニット３は、第１プラグ１１で受け取った電力の一部を、第２プラグ１２を通じて、第２プラグ１２に接続されたユニットに供給することができる。本実施形態では、第２プラグ１２は、追加機能ユニット４に設けられた後述する第３接続部１４に接続されるので、発光ユニット３が輸送機から受け取った電力の一部を追加機能ユニット４に向けて供給することができる。
【００２３】
なお、本実施形態では、発光体としてＬＥＤによる発光体１３が用いられているが、発光ユニットで用いられる発光体としては、ＬＥＤ以外のものであってもよい。
【００２４】
追加機能ユニット４は、Ｄ１方向の一端（発光ユニット３側）に第３接続部１４を有している。第３接続部１４は、ソケットとして構成されている。第３接続部１４には、プラグを挿入可能な穴部１５が形成されている。穴部１５は、第３接続部１４における、発光ユニット３の第２プラグ１２に対向する位置に形成されている。
【００２５】
また、追加機能ユニット４は、Ｄ１方向の他端に、第３プラグ１６を備えている。第３プラグ１６は、照明ホルダー２における第２接続部８の穴部１０に挿入可能に構成されている。従って、第３プラグ１６が穴部１０に挿入されることにより、追加機能ユニット４が照明ホルダー２に取り付けられ、そこで支持される。
【００２６】
本実施形態では、追加機能ユニット４は、画像情報を記録することが可能なカメラとして構成されている。追加機能ユニット４には、外側を覆うようにケーシング１７が設けられ、ケーシング１７の内部にカメラ本体部２０（機能部）が収容されている。
【００２７】
追加機能ユニット４は、画像の撮影を行うための、レンズ部１８を有している。レンズ部１８を通して、カメラとしての追加機能ユニット４が画像の撮影を行い、画像情報を取得することができる。
【００２８】
カメラ本体部２０には不図示の挿入口が形成され、記録媒体２５（図６）が挿入口に挿入されて配置されることが可能に構成されている。記録媒体２５としては、例えばＳＤカードが用いられる。また、記録媒体２５は、カメラ本体部２０の内部に挿入された状態から、カメラ本体部２０の外部に取り出すことが可能に構成されている。記録媒体２５がカメラ本体部２０の内部に挿入された状態で、カメラ本体部２０によって取得された画像情報を記録媒体２５の内部に記録することができる。また、記録媒体２５をカメラ本体部２０から取り出して、記録媒体２５の内部に記録された画像情報を確認することができる。
【００２９】
また、本実施形態では、ケーシング１７には、開閉可能な扉部１９が設けられている。図３（ａ）に、扉部１９が開かれた状態の、追加機能ユニット４についての斜視図を示し、図３（ｂ）に、扉部１９が閉じられた状態の追加機能ユニット４についての側面図を示す。
【００３０】
図３（ａ）、（ｂ）に示すように、扉部１９は、ヒンジを中心にＡ１方向に回転することにより開閉することが可能に構成されている。また、扉部１９は、開けられたときにカメラ本体部２０をケーシング１７から取り出すことが可能に構成されている。扉部１９が開けられ、カメラ本体部２０をケーシング１７から取り外すことにより、作業者がカメラ本体部２０にアクセスし、挿入口から記録媒体を取り出す作業を容易に行うことができる。
【００３１】
また、ケーシング１７は、閉じた状態（扉部１９が閉じられた状態）で内部にカメラ本体部２０を収納し、そこで施錠を行うことが可能なように、施錠部２１を有している。施錠部２１は、ケーシング１７は閉じた状態で、鍵２２を用いて施錠されることができる。また、逆に、施錠部２１が施錠された状態から、鍵２２を用いて開錠することができる。
【００３２】
なお、上記実施形態では、鍵２２によって施錠部２１を施錠する構成について説明したが、施錠部２１は、鍵によって施錠される構成でなくてもよい。例えば、扉部１９が閉じられた状態で、特殊なツールを用いることによって取り外すことが可能なボルトによって締結されるように構成されていてもよい。例えば、星形といった特殊な構成の溝がボルトの頭部に形成され、それに対応した特殊な構成のドライバーによってボルトが回されて、扉部１９が閉じた状態で締結されるように構成されてもよい。扉部１９がこのように構成されることにより、特殊なツールを用いてのみ扉部１９を開けることが可能になり、盗難防止の機能を確保することができる。このように、特殊な構成のドライバーによってボルトが回されて扉部１９が開けられるように施錠部２１が構成されてもよい。また、施錠部２１の構成は、その他の構成であってもよい。
【００３３】
図４は、追加機能ユニット４が、照明ホルダー２に取り付けられる部分について一部を破断して示した断面斜視図である。図４に示すように、追加機能ユニット４のケーシング１７は、座金２６を挟んで、照明ホルダー２の本体部６に取り付けられている。本体部６とケーシング１７との間は、リベットによる締結が行われてもよいし、ネジによって締結が行われてもよい。このように、ネジあるいはリベットによって締結されることにより、ケーシング１７が本体部６に固定されて取り付けられる。ここで、ネジ等の取り外し容易な締結具によって締結すれば、本体部６からケーシング１７を取り外すことが容易となる。ケーシング１７内部に、本体部６とケーシング１７との間の締結部を設けることで、ケーシング１７が閉じた状態では締結部へのアクセスを困難とし、盗難防止の機能を確保することができる。また、ケーシング１７は、上側ケーシング２７と下側ケーシング２８とを有している。上側ケーシング２７と下側ケーシング２８とは、例えばリベット２９によって締結されている。このように、ケーシング１７が本体部６に取り付けられることによって、本体部６の下方のケーシング１７内部に空間Ｒ１が区画される。空間Ｒ１の内部にカメラ本体部２０を収納することができる。なお、上側ケーシング２７と下側ケーシング２８の締結は、特殊なツールを用いることによって取り外すことが可能なボルトによってもよいし、溶接されていてもよい。またケーシング１７は、上側と下側に分割された形状に限らず、例えば樹脂による一体成型品でもよい。
【００３４】
なお、追加機能ユニット４の構成については、上記実施形態に限定されない。例えば、図５（ａ）に示されるように、下側ケーシング２８の下方にカバー３０が取り付けられる構成であってもよい。
【００３５】
図５（ａ）に、変形例の追加機能ユニット４ａにおいて、照明ホルダー２の本体部６に取り付けられる部分の一部を破断して示した断面斜視図を示す。図５（ａ）に示される変形例の追加機能ユニット４ａでは、下側ケーシング２８の底面の外側に、カバー３０が取り付けられている。カバー３０は、例えば、リベット３１によって下側ケーシング２８に締結されて取り付けられている。このように、ケーシング１７及びカバー３０が、本体部６に取り付けられることによって、本体部６の下方のケーシング１７の内部に空間Ｒ２が区画される。空間Ｒ２の内部にカメラ本体部２０を収納することができる。なお、追加機能ユニット４ａは、カメラ本体部２０によって室内が撮影されるように構成される必要がある。そのため、例えば、追加機能ユニット４ａにおけるレンズ部１８の形成されている部分については、ケーシング１７及びカバー３０が形成されず、光路が確保されるように追加機能ユニット４ａが構成されてもよい。
【００３６】
図５（ａ）の変形例では、下側ケーシング２８の下側を覆うように下側ケーシング２８にカバー３０が取り付けられているので、輸送機の室内から照明用灯具を見たときに、カバー３０によってケーシング１７が隠される。従って、カバー３０が目隠しとなり、ケーシング１７を目立たなくすることができる。これにより、照明用灯具の意匠性を向上させることができる。
【００３７】
また、図５（ｂ）を用いて、別の変形例の追加機能ユニット４ｂについて説明する。図５（ｂ）に、別の変形例の追加機能ユニット４ｂにおいて、照明ホルダー２の本体部６に取り付けられる部分の一部を破断して示した断面斜視図を示す。図５（ｂ）に示される変形例の追加機能ユニット４ｂでは、図５（ａ）に示される構成とは別の構成のカバー３７がケーシング１７に取り付けられている。
【００３８】
下側ケーシング２８の底面の内側に座金３２が配置されている。また、下側ケーシング２８の底面の外側には、追加機能ユニット４ａの長手方向のＤ１方向に長く延びる第１板状部材３３及び第２板状部材３４が、互いに照明ホルダー２の本体部６に向かう方向に重なるように配置されている。第１板状部材３３は、第２板状部材３４よりも本体部６に近い位置に配置されている。座金３２、第１板状部材３３及び第２板状部材３４は、ネジ３５によって下側ケーシング２８に締結されている。第１板状部材３３は、第２板状部材３４に比べて幅方向の長さが狭くなるように構成されている。従って、第１板状部材３３よりも幅方向の外側の位置には、第２板状部材３４の幅方向の外側の端部よりも内側に凹んだ溝３６が形成される。
【００３９】
カバー３７には、いったん上方に向かって突出し、そこから幅方向の内側に向かって突出した爪部３８が形成されている。第１板状部材３３の幅方向の両側に形成された溝３６に、爪部３８が挿入されて、カバー３７がケーシング１７に取り付けられる。
【００４０】
このように、ケーシング１７及びカバー３７が、本体部６に取り付けられることによって、本体部６の下方のケーシング１７内部に空間Ｒ３が区画される。空間Ｒ３の内部にカメラ本体部２０を収納することができる。このように追加機能ユニット４ｂが構成されることにより、照明用灯具を室内側から見たときに、ネジ３５がカバー３７によって覆われることになる。輸送機の室内から照明用灯具を見たときに、カバー３７によってケーシング１７及びネジ３５が覆われて隠されるので、カバー３７が目隠しとなり、ケーシング１７及びネジ３５を目立たなくすることができる。これにより、照明用灯具の意匠性をさらに向上させることができる。
【００４１】
次に、本実施形態の照明用灯具１における電力供給の流れについて説明する。図６に、本実施形態の照明用灯具１における電力供給の流れを説明するためのブロック図を示す。
【００４２】
まず、輸送機からの電力が、照明ホルダー２における第１接続部７を介して、発光ユニット３に供給される。発光ユニット３が受け取った電力のうち、一部の電力が第１電力変換回路２３に供給される。第１電力変換回路２３に供給された電力は、発光体１３で使用可能な形式に変換される。本実施形態では、例えば、輸送機からの電力を発光体１３で使用可能な電圧とするために、第１電力変換回路２３で電圧変換が行われる。第１電力変換回路２３で変換された電力が発光体１３に供給され、発光体１３が発光する。
【００４３】
発光ユニット３が受け取った電力のうち、一部の電力が第２電力変換回路２４に供給される。第２電力変換回路２４は、輸送機から受け取った電力を、追加機能ユニット４で使用可能な形式に変換する。第２電力変換回路２４で追加機能ユニット４の使用可能な形式に変換された電力は、第２プラグ１２を介して追加機能ユニット４に供給される。追加機能ユニット４は、第３接続部１４で、第２プラグ１２からの電力を受け取る。本実施形態では、追加機能ユニット４がカメラとして構成されているので、カメラとしての追加機能ユニット４が画像を撮影し、記録媒体２５に画像情報を記録するのに必要とされる電力が追加機能ユニット４に供給される。本実施形態では、例えば、第２電力変換回路２４が電圧変換を行う。電力が第２電力変換回路２４を通されることにより、追加機能ユニット４が受け取った電力が追加機能ユニット４内で使用可能な電圧の電力に変換される。このように、追加機能ユニット４は、第１接続部７、第２電力変換回路２４及び第３接続部１４を通して電力を受け取ることが可能に構成されている。
【００４４】
なお、上記実施形態では、第２プラグ１２と、第３接続部１４との間の接続は、図７（ａ）に示されるように、プラグとソケットである形態について説明したが、発光ユニット３と追加機能ユニット４との間の接続は、図７（ｂ）に示されるように、発光ユニット３にＵＳＢ端子３９が配置され、追加機能ユニット４に、発光ユニット３の径に対応した発光ユニット接続用挿入口４０が形成されると共に、発光ユニット接続用挿入口４０の内部に、ＵＳＢ端子３９に対応したＵＳＢ端子接続用挿入口４１が形成されていてもよい。
【００４５】
また、図７（ｃ）に示されるように、発光ユニット３にＤＣプラグ４２が配置され、追加機能ユニット４に、発光ユニット３の径に対応した発光ユニット接続用挿入口４０が形成されると共に、発光ユニット接続用挿入口４０の内部に、ＤＣプラグ４２に対応したＤＣプラグ接続用挿入口４３が形成されていてもよい。
【００４６】
また、発光ユニット３には、図７（ｄ）に示されるようにコネクタ４４が配置され、追加機能ユニット４に、発光ユニット３の径に対応した発光ユニット接続用挿入口４０が形成されると共に、発光ユニット接続用挿入口４０とは別の位置に、コネクタ４４に対応したコネクタ接続用挿入口４５が形成されていてもよい。
【００４７】
また、上記実施形態においては、追加機能ユニット４がカメラとして構成されている形態について説明したが、追加機能ユニットは、カメラ以外の機能を備えたものであってもよい。例えば、追加機能ユニットが、スピーカー、通信装置、空気浄化装置等の機能を備えていてもよい。
【００４８】
また、上記実施形態では、追加機能ユニット４がカメラとして構成され、カメラによって得られた画像情報が記録される記録媒体２５としてＳＤカードが用いられている形態について説明したが、本発明は上記実施形態に限定されない。記録媒体としては、ＳＤカード以外のものが用いられてもよく、例えばＨＤＤ（ｈａｒｄ  ｄｉｓｋ  ｄｒｉｖｅ）が用いられてもよい。その場合、記録媒体は、カメラ本体部２０の挿入口に挿入される形態でなくてもよく、例えば、追加機能ユニット４とは別の位置に配置される形態であってもよい。
【００４９】
記録媒体が追加機能ユニット４とは別の位置に配置される形態の一例について、図８に示す。図８に示されるように、例えば、ＨＤＤによって構成された記録媒体２５ａが、輸送機の天井５の裏側のスペースに配置され、その記録媒体２５ａに画像情報が記録される形態であってもよい。例えば、カメラ本体部２０と記録媒体２５ａとの間にはケーブル等の配線が接続され、カメラ本体部２０によって取得された画像情報が、配線を通して記録媒体２５ａに送られるように、追加機能ユニット４及び記録媒体２５ａが構成されてもよい。また、画像情報が、無線通信によって記録媒体２５ａに送られるように、追加機能ユニット４及び記録媒体２５ａが構成されてもよい。また、記録媒体は、照明用灯具１とは異なる位置に配置されてもよい。例えば、ＨＤＤといった記録媒体が、照明用灯具１とは離れた場所に配置された機器ロッカーの内部に配置され、その記録媒体に向けて画像情報が送られる形態であってもよい。また、記録媒体は、ＳＤカードやＨＤＤ以外の別のものが用いられてもよい。
【００５０】
また、上記実施形態では、追加機能ユニット４で用いられる電力については、輸送機からの電力が第２電力変換回路２４で変換されて用いられる形態について説明したが、電池等からの電力が追加機能ユニット４に供給される形態であってもよい。
【００５１】
また、上記実施形態では、第１電力変換回路２３及び第２電力変換回路２４が電圧変換を行う形態について説明したが、第１電力変換回路２３及び第２電力変換回路２４は電圧変換以外の処理を行ってもよい。例えば、第１電力変換回路２３あるいは第２電力変換回路２４が、直流、交流の電流の形式を変更する処理を行うように構成されてもよい。
【００５２】
また、上記実施形態では、追加機能ユニット４は、第２接続部８に接続されることにより照明ホルダー２に支持される構成について説明したが、追加機能ユニット４は、第２接続部８に接続されなくてもよい。他の構成によって追加機能ユニット４が照明ホルダー２に支持される構成であってもよい。
【００５３】
第３プラグ１６は、必ずしも第２接続部８に接続されなくてもよい。第３プラグ１６が第２接続部８に接続されたときには、第２接続部８によっても追加機能ユニット４が支持されるので追加機能ユニット４が照明ホルダー２によってより確実に支持されるが、第２接続部８以外の部分で追加機能ユニット４が照明ホルダー２によって確実に支持されるのであれば、第３プラグ１６は第２接続部８に接続されなくてもよい。その場合、追加機能ユニット４から第３プラグが除去され、追加機能ユニット４が第３プラグを有しないように構成されてもよい。
【００５４】
図９（ａ）に、第３プラグが除去された形態の追加機能ユニット４ｃを備えた照明用灯具１ｂについての側面図を示す。図９（ａ）に示されるように、第３プラグを有しない追加機能ユニット４ｃが本発明の照明用灯具に適用されてもよい。こうすることにより、追加機能ユニット４ｃの構成がより簡易になり、照明用灯具１ｂの製造コストを少なく抑えることができる。
【００５５】
また、図９（ｂ）に、第２接続部が除去された照明ホルダー２ａに、第３プラグを有しない追加機能ユニット４ｄを備えた照明用灯具１ｃが取り付けられた形態の照明用灯具１ｃについての側面図を示す。図９（ｂ）に示されるように、照明ホルダー２ａの一端部６ｂに第１接続部７が設けられているが、照明ホルダー２ａの他端部６ｃには第２接続部は設けられていない。照明ホルダー２ａは、第２接続部を有していないので、その分本体部６ａが短くなるように構成されている。照明用灯具１ｃは、本体部６ａの延びる方向（一方向）に関し、照明ホルダー２ａの一端部６ｂに配置された第１接続部７と照明ホルダー２ａの他端部６ｃの間の領域に配置されている。このように構成されることにより、第２接続部の構成が省略され、追加機能ユニット４ｄ及び照明ホルダー２ａの構成がより簡易になり、照明ホルダー２ａ及び照明用灯具１ｃの製造コストをさらに少なく抑えることができる。なお、図９（ｂ）では、発光ユニット３は、一端が第１接続部７に対して着脱可能に取り付けられ、他端が第３接続部１４に対して着脱可能に取り付けられているが、本発明は上記実施形態に限定されない。発光ユニット３は、第３接続部１４に対して接続されるように構成されなくてもよい。発光ユニット３の一端が第１接続部７に対して着脱可能に取り付けられ、他端が追加機能ユニット４ｄに対して着脱可能に取り付けられるのであれば、発光ユニット３は、必ずしも第３接続部１４に接続されなくてもよい。例えば、ケーシング１７にネジ穴が形成され、発光ユニット３の径方向の外側にネジ山が形成され、ケーシング１７と発光ユニット３とがネジによって係合される構成であってもよい。
【００５６】
また、本実施形態では、ケーシング１７の内部にカメラ本体部２０が収納される形態について説明したが、カメラ本体部２０が盗難されないように本体部６に固定されているのであれば、ケーシング１７の無い状態で、カメラ本体部２０が、追加機能ユニットとして発光ユニット３と第２接続部８との間の位置に取り付けられていてもよい。
【００５７】
また、上記実施形態では、第２電力変換回路２４が発光ユニット３の内部に設けられる構成について説明したが、第２電力変換回路２４は、追加機能ユニット４の内部に設けられてもよい。上記実施形態では、追加機能ユニット４の構成をできるだけ小さくすることにより、発光ユニット３をできるだけ大きくし、発光ユニット３からの発光量を大きくしている。そのため、追加機能ユニット４を小型化するために第２電力変換回路２４が、発光ユニット３の内部に設けられている。しかしながら、発光ユニット３からの発光量が十分である場合には、第２電力変換回路２４は、追加機能ユニット４の内部に設けられてもよい。
【００５８】
上記実施形態によれば、発光ユニット３が第１接続部７に着脱可能に取り付けられると共に、追加機能ユニット４が発光ユニット３に対し着脱可能に取り付けられているので、既存の照明用灯具設備を用いて、発光ユニット３と追加機能ユニット４とを別々に取り外すことができる。従って、既存の照明用灯具から容易に置き換え可能であることと、発光ユニット３と追加機能ユニット４とをそれぞれ適切なタイミングで交換することを同時に達成できる。
【００５９】
発光ユニット３と追加機能ユニット４とをそれぞれ別々のタイミングで交換することができるので、発光ユニット３と追加機能ユニット４とを、それぞれ寿命に至るまで使用することができる。従って、発光ユニット３あるいは追加機能ユニット４のいずれかがまだ使用できるにも関わらず両方についての交換が行われることを抑えることができるので、無駄に交換が行われることを抑えることができる。従って、発光ユニット３及び追加機能ユニット４の交換の頻度を少なくすることができる。これにより、照明用灯具１のメンテナンスにかかるコストを少なく抑えることができる。
【００６０】
また、発光ユニット３と追加機能ユニット４とを別々に取り外すことができるので、発光ユニット３と追加機能ユニット４とのうち、一方を比較的容易に取り外すことのできる構成にすると共に、他方を比較的取り外し難くすることができる。本実施形態では、発光ユニット３に比べてカメラとしての追加機能ユニット４が高価である。そのため、追加機能ユニット４を取り外し難くすることで、追加機能ユニット４の盗難防止を図ることができる。
【００６１】
また、発光ユニット３のように、定期的に交換を行うことが必要な構成に対しては、取り外しを比較的容易にし、定期的な交換作業を行い易くすることができる。これにより発光ユニット３の交換作業を容易にすることができ、作業者の手間を煩わせることを抑えることができる。
【００６２】
また、本実施形態では、Ｄ１方向についての第１接続部７と第２接続部８との間の長さが、従来の蛍光灯タイプの照明がちょうど入るような長さとなるように、照明ホルダー２が構成されると共に、第１接続部７と第２接続部８との間の位置に、本実施形態の照明用灯具１及び追加機能ユニット４が配置されるように、照明用灯具１が構成されている。つまり、輸送機において、従来用いられていた蛍光灯タイプの照明を取り付けるために用いられていた照明ホルダー２に対し、本実施形態の照明用灯具１を取り付けることができる。そのため、本実施形態の照明用灯具１を使用するに当たって、従来用いられている照明ホルダー２をそのまま用いることができる。従って、本実施形態の照明用灯具１を適用するに当たって、照明ホルダー２に対し、照明用灯具１の取り付けのための構成の変更を少なくすることができる。そのため、本実施形態の照明用灯具１を適用するためのコストを少なく抑えることができる。
【００６３】
また、本実施形態では、第１接続部７を通し、第１プラグ１１で受け取った電力の一部を発光ユニット３の発光体１３で使用可能な電力に変換する第１電力変換回路２３と、第１プラグ１１で受け取った電力の一部を追加機能ユニット４で使用可能な電力に変換する第２電力変換回路２４とが、発光ユニット３の内部に設けられている。従って、従来用いられている蛍光灯タイプの照明のために用いられていた電力を、本実施形態の発光体１３及び追加機能ユニット４のためにそのまま用いることができる。従って、本実施形態の照明用灯具１を適用するに当たって、照明ホルダー２に対し、電力の供給のための構成の変更を少なくすることができる。そのため、本実施形態の照明用灯具１を適用するためのコストをさらに少なく抑えることができる。また、照明用灯具１は、より簡易な構成で、発光ユニット３で使用される電力を得ることができる。
【００６４】
本実施形態では、カメラ本体部２０がケーシング１７によって収納され、ケーシング１７が本体部６に固定されているので、カメラ本体部２０を、本体部６に固定されたケーシング１７の内部で保護することができる。従って、カメラ本体部２０が盗難の被害に遭うことを抑えることができる。また、本実施形態では、ケーシング１７に開閉可能な扉部１９が形成され、扉部１９の施錠を行うことが可能なように、施錠部２１が扉部１９に設けられている。扉部１９に施錠部２１が設けられることにより、ケーシング１７の内部にカメラ本体部２０を収納した状態で施錠することが可能に構成されている。従って、カメラ本体部２０が盗難被害に遭うことをより確実に抑えることができる。
【００６５】
また、施錠部２１によって扉部１９の施錠が行われるので、カメラ本体部２０の盗難を防止することができると共に、カメラ本体部２０の内部に配置された記録媒体２５が盗難被害に遭うことを抑えることができる。上記実施形態の照明用灯具１が取り付けられた輸送機が鉄道車両である場合には、迷惑行為が発生したときに、迷惑行為の当事者がカメラ本体部２０の内部に配置された記録媒体２５を抜き取り、迷惑行為の現場の記録を持ち去ろうとする可能性がある。本実施形態の照明用灯具１では、追加機能ユニット４がケーシング１７内部に記録媒体２５が収納するように構成され、ケーシング１７の扉部１９が施錠部２１によって施錠されるように構成されているので、記録媒体２５が盗難被害に遭うことを確実に抑えることができる。
【００６６】
また、本実施形態では、発光ユニット３及び追加機能ユニット４が、従来用いられていた第１接続部７及び第２接続部８の間の位置に取り付けられ、さらに、従来用いられていた灯具に対し電力供給の行われていた構成を用いて発光ユニット３及び追加機能ユニット４への電力の供給が行われるので、発光ユニット３及び追加機能ユニット４を適用するに当たって輸送機側の装置の変更が少なく済む。本実施形態では、輸送機からの電力の一部を、発光ユニット３側に配置された第１電力変換回路２３により発光ユニット３で使用可能な電力に変換し、変換された電力が発光ユニット３の発光体１３で用いられる。従って、発光ユニット３及び追加機能ユニット４を適用する際に、輸送機側の構成についての改造が少なく済むので、照明用灯具１の適用のためのコストを少なく抑えることができる。
【００６７】
また、本実施形態では、ケーシング１７は、本体部６に固定されると共に、第２接続部８に接続されているので、ケーシング１７が本体部６及び第２接続部８によってより確実に支持される。これにより、照明用灯具１の信頼性を向上させることができる。
【００６８】
また、本実施形態では、ケーシング１７が第３接続部１４を有しているので、発光ユニット３が第１接続部７及び第３接続部１４によって支持され、発光ユニット３がより確実に支持される。これにより、照明用灯具１がより確実に支持され、照明用灯具１の信頼性を向上させることができる。
【００６９】
また、本実施形態では、発光ユニット３が追加機能ユニット４で使用可能な電力に変換する第２電力変換回路２４を備えているので、追加機能ユニット４側の構成が簡易になり、追加機能ユニット４を小型化させることができる。また、その分発光ユニット３を大きくすることができ、発光ユニット３からの発光量を十分に確保することができる。
【符号の説明】
【００７０】
１  照明用灯具
３  発光ユニット
２３  第１電力変換回路
２４  第２電力変換回路
４  追加機能ユニット
１７  ケーシング
２０  カメラ本体部（機能部）
２１  施錠部
２  照明ホルダー
６  本体部
７  第１接続部
８  第２接続部
５  天井
【図１】
2020155213.tif 000003
【図２】
2020155213.tif 000004
【図３】
2020155213.tif 000005
【図４】
2020155213.tif 000006
【図５】
2020155213.tif 000007
【図６】
2020155213.tif 000008
【図７】
2020155213.tif 000009
【図８】
2020155213.tif 000010
【図９】
2020155213.tif 000011